(57)【要約】実施形態の例によると、ワイヤレス通信のための方法は、第１の周波数上の複数の送信ポイント（ＴＰ）によって、または第２の周波数上のリレーによってサービス提供されることができる少なくとも１つのＵＥを識別することと、リレーによってサービス提供されているＵＥを条件とする第１のパフォーマンスメトリックおよび複数のＴＰによってサービス提供されているＵＥを条件とする第２のパフォーマンスメトリックを評価することと、第１および第２のパフォーマンスメトリックに少なくとも部分的に基づいて、ＵＥが、第１の周波数上の複数のＴＰによってサービス提供されるべきか第２の周波数上のリレーによってサービス提供されるべきかを決定することと、決定に基づいて、リレーまたは複数のＴＰによってサービス提供されているものに、またはリレーまたは複数のＴＰによってサービス提供されているものからＵＥを切り替える措置を取ることを含む。【選択図】図９
2016524424.tif 000002
【特許請求の範囲】
【請求項１】
ワイヤレス通信のための方法であって、
第１の周波数上の複数の送信ポイント（ＴＰ）によって、または第２の周波数上のリレーによって、サービス提供されることができる少なくとも１つのＵＥを識別することと、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価することと、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定することと、
前記決定に基づいて、前記ＵＥを、前記リレーまたは前記複数のＴＰによってサービス提供されているものに、または、前記リレーまたは前記複数のＴＰによってサービス提供されているものから切り替える措置を取ることと
を備える、方法。
【請求項２】
前記措置を取ることは、前記複数のＴＰによって現在サービス提供されている前記ＵＥにサービス提供する前記リレーをアクティブにすることを備える、請求項１に記載の方法。
【請求項３】
前記措置を取ることは、前記ＵＥに現在サービス提供している前記リレーを非アクティブにすることを備える、請求項１に記載の方法。
【請求項４】
前記少なくとも１つのＵＥは、ＵＥのセットを備え、
前記評価することは、ＴＰまたはリレーのうちの少なくとも１つに関連する信号対干渉雑音比（ＳＩＮＲ）に基づいて前記セット内のＵＥを順序付けることと、最も低いＳＩＮＲを有するＵＥを始めとした、前記順序付けに基づいて、ＵＥのための候補リレーを評価することを備える、請求項１に記載の方法。
【請求項５】
前記ＵＥへの経路損失に基づいて評価する候補リレーを識別することをさらに備える、請求項１に記載の方法。
【請求項６】
前記評価することは、候補リレーのセット毎に第１のメトリックを計算することと、前記計算された第１のメトリックに基づいて前記リレーを選択することを備える、請求項１に記載の方法。
【請求項７】
前記第１および第２のメトリックのうちの少なくとも１つは、システム全体のユーティリティに対応するメトリックを備える、請求項１に記載の方法。
【請求項８】
前記評価することは、前記リレーによる送信のスケジューリングを予報することを備える、請求項１に記載の方法。
【請求項９】
予報された前記ＵＥへの送信レートについての所定の値に少なくとも部分的に基づいて前記ＵＥを評価するリレーの候補セットを識別することをさらに備える、請求項１に記載の方法。
【請求項１０】
前記リレーは、別のＵＥを備える、請求項１に記載の方法。
【請求項１１】
前記評価することは、前記リレーが別のリレーに干渉しないと決定することを備える、請求項１に記載の方法。
【請求項１２】
リレーされるべきデータ以外のデータを送信または受信するようにスケジュールされていないＵＥの中から候補リレーを識別することをさらに備える、請求項１に記載の方法。
【請求項１３】
ワイヤレス通信のための装置であって、
第１の周波数上の複数の送信ポイント（ＴＰ）によって、または第２の周波数上のリレーによって、サービス提供されることができる少なくとも１つのＵＥを識別することと、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価することと、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定することと、
前記決定に基づいて、前記ＵＥを、前記リレーまたは前記複数のＴＰによってサービス提供されているものに、または、前記リレーまたは前記複数のＴＰによってサービス提供されているものから切り替える措置を取ることと
を行なうように構成されたプロセッサと、
前記プロセッサに結合されたメモリと
を備える、装置。
【請求項１４】
措置を取ることは、前記複数のＴＰによって現在サービス提供されている前記ＵＥにサービス提供する前記リレーをアクティブにすることを備える、請求項１３に記載の装置。
【請求項１５】
措置を取ることは、前記ＵＥに現在サービス提供している前記リレーを非アクティブにすることを備える、請求項１３に記載の装置。
【請求項１６】
前記少なくとも１つのＵＥは、ＵＥのセットを備え、
前記評価することは、ＴＰまたはリレーのうちの少なくとも１つに関連する信号対干渉雑音比（ＳＩＮＲ）に基づいて前記セット内のＵＥを順序付けることと、最も低いＳＩＮＲを有するＵＥを始めとした、前記順序付けに基づいて、ＵＥのための候補リレーを評価することを備える、請求項１３に記載の装置。
【請求項１７】
前記プロセッサは、前記ＵＥへの経路損失に基づいて評価する候補リレーを識別することを行なうようにさらに構成される、請求項１３に記載の装置。
【請求項１８】
評価することは、候補リレーのセット毎に第１のメトリックを計算することと、前記計算された第１のメトリックに基づいて前記リレーを選択することを備える、請求項１３に記載の装置。
【請求項１９】
前記第１および第２のメトリックのうちの少なくとも１つは、システム全体のユーティリティに対応するメトリックを備える、請求項１３に記載の装置。
【請求項２０】
評価することは、前記リレーによる送信のスケジューリングを予報することを備える、請求項１３に記載の装置。
【請求項２１】
前記プロセッサは、予報された前記ＵＥへの送信レートについての所定の値に少なくとも部分的に基づいて前記ＵＥを評価するリレーの候補セットを識別することを行なうようにさらに構成される、請求項１３に記載の装置。
【請求項２２】
前記リレーは、別のＵＥを備える、請求項１３に記載の装置。
【請求項２３】
評価することは、前記リレーが別のリレーに干渉しないと決定することを備える、請求項１３に記載の装置。
【請求項２４】
前記プロセッサは、リレーされるべきデータ以外のデータを送信または受信するようにスケジュールされていないＵＥの中から候補リレーを識別することを行なうようにさらに構成される、請求項１３に記載の装置。
【請求項２５】
ワイヤレス通信のための装置であって、
第１の周波数上の複数の送信ポイント（ＴＰ）によって、または第２の周波数上のリレーによって、サービス提供されることができる少なくとも１つのＵＥを識別するための手段と、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価するための手段と、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定するための手段と、
前記決定に基づいて、前記ＵＥを、前記リレーまたは前記複数のＴＰによってサービス提供されているものに、または前記リレーまたは前記複数のＴＰによってサービス提供されているものから切り替える措置を取るための手段と
を備える、装置。
【請求項２６】
第１の周波数上の複数の送信ポイント（ＴＰ）によって、または第２の周波数上のリレーによって、サービス提供されることができる少なくとも１つのＵＥを識別することと、
前記リレーによってサービス提供されている前記ＵＥを条件とする第１のパフォーマンスメトリックおよび前記複数のＴＰによってサービス提供されている前記ＵＥを条件とする第２のパフォーマンスメトリックを評価することと、
前記第１および第２のパフォーマンスメトリックに少なくとも部分的に基づいて、前記ＵＥが、前記第１の周波数上の前記複数のＴＰによってサービス提供されるべきか前記第２の周波数上の前記リレーによってサービス提供されるべきかを決定することと、
前記決定に基づいて、前記ＵＥを、前記リレーまたは前記複数のＴＰによってサービス提供されているものに、または前記リレーまたは前記複数のＴＰによってサービス提供されているものから切り替える措置を取ることと
を行なうための命令を記憶したコンピュータ可読媒体を備える、ワイヤレス通信のためのプログラム製品。
【発明の詳細な説明】
【関連出願の相互参照】
【０００１】
[0001]  本特許出願は、本願の譲受人に譲渡され、その全てが参照により本明細書に明確に組み込まれる、２０１３年６月２５日に出願された米国仮出願番号第６１／８３９，３１７号の優先権を主張する。
【技術分野】
【０００２】
[0002]  本開示のある特定の態様は、一般にワイヤレス通信に関し、より具体的には、クラウド無線アクセスネットワーク（ＲＡＮ）におけるリレーの適時的な（opportunistic）アクティベーションを管理するための技法に関する。
【背景技術】
【０００３】
[0003]  ワイヤレス通信ネットワークは、音声、ビデオ、パケットデータ、メッセージング、ブロードキャスト、等のような、様々な通信サービスを提供するために広く展開されている。これらワイヤレスネットワークは、利用可能なネットワークリソースを共有することによって複数のユーザをサポートできる多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]  ワイヤレス通信ネットワークは、多くのユーザ機器（ＵＥ）のための通信をサポートできる多くの基地局を含み得る。ＵＥは、ダウンリンクおよびアップリンクを介して基地局と通信し得る。ダウンリンク（または順方向リンク）は、基地局からＵＥへの通信リンクを指し、アップリンク（または逆方向リンク）は、ＵＥから基地局への通信リンクを指す。
【０００５】
[0005]  基地局は、ダウンリンク上でデータおよび制御情報をＵＥに送信し得る、および／または、アップリンク上でデータおよび制御情報をＵＥから受信し得る。ダウンリンク上では、基地局からの送信が、隣接基地局からの送信による干渉を観測し得る。アップリンク上では、ＵＥからの送信が、隣接基地局と通信している他のＵＥからの送信に対して干渉を引き起こし得る。干渉は、ダウンリンクおよびアップリンクの両方のパフォーマンスを低下させ得る。
【発明の概要】
【０００６】
[0006]  本開示のある特定の態様は、クラウド無線アクセスネットワーク（ＲＡＮ）におけるリレーの適時的なアクティベーションを管理するための、技法、対応する装置、およびプログラム製品を提供する。
【０００７】
[0007]  ある特定の態様は、ワイヤレス通信のための方法を提供する。この方法は、概して、第１の周波数上の複数の送信ポイント（ＴＰ）によって、または第２の周波数上のリレーによって、サービス提供されることのできる少なくとも１つのＵＥを識別することと、リレーによってサービス提供されているＵＥを条件とする第１のパフォーマンスメトリックおよび複数のＴＰによってサービス提供されているＵＥを条件とする第２のパフォーマンスメトリックを評価することと、第１および第２のパフォーマンスメトリックに少なくとも部分的に基づいて、ＵＥが、第１の周波数上の複数のＴＰによってサービス提供されるべきか第２の周波数上のリレーによってサービス提供されるべきかを決定することと、決定に基づいて、ＵＥを、リレーまたは複数のＴＰによってサービス提供されているものに、またはリレーまたは複数のＴＰによってサービス提供されているものから切り替える措置を取ることを含む。
【０００８】
[0008]  本開示の様々な態様および特徴が、以下でより詳細に説明される。
【図面の簡単な説明】
【０００９】
【図１】図１は、本開示のある特定の態様に従ってワイヤレス通信ネットワークの例を概念的に示すブロック図である。
【図２】図２は、本開示のある特定の態様に従ってワイヤレス通信ネットワークにおけるフレーム構造の例を概念的に示すブロック図である。
【図２Ａ】図２Ａは、本開示のある特定の態様に従ってロングタームエボリューション（ＬＴＥ）におけるアップリンクのための実例的なフォーマットを示す。
【図３】図３は、本開示のある特定の態様に従ってワイヤレス通信ネットワークにおけるユーザ機器デバイス（ＵＥ）と通信するノードＢの例を概念的に示すブロック図を示す。
【図４】図４は、本開示のある特定の態様に従って実例的な異機種ネットワーク（ＨｅｔＮｅｔ）を示す。
【図５】図５は、本開示のある特定の態様に従って異機種ネットワークにおける実例的なリソース分割を示す。
【図６】図６は、本開示のある特定の態様に従って異機種ネットワークにおけるサブフレームの実例的な共同分割を示す。
【図７】図７は、本開示のある特定の態様に従って協調マルチポイント（ＣｏＭＰ）送信の実例的なシナリオを示す。
【図８】図８は、本開示のある特定の態様に従って協調マルチポイント（ＣｏＭＰ）送信の別の実例的なシナリオを示す。
【図９】図９は、本開示の態様に従って例示的なアーキテクチャを示す。
【図１０】図１０は、本開示の態様に従ってマルチポイント等化（ＭＰＥ：Multi Point Equalization）を示す。
【図１１】図１１は、本開示の態様に従って、例えば、基地局によって、行われ得る実例的な動作を示す。
【発明を実施するための形態】
【００１０】
[0021]  本明細書で説明される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに使用され得る。「ネットワーク」および「システム」という用語は、しばしば同義で使用される。ＣＤＭＡネットワークは、ユニバーサル地上無線アクセス（ＵＴＲＡ）、ｃｄｍａ２０００、等のような無線技術を実現し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術を実現し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の機関による文書中に記述されている。ｃｄｍａ２０００およびＵＭＢは、「第３世代パートナーシッププロジェクト２」（３ＧＰＰ２）という名称の機関による文書中に記述されている。本明細書で説明される技法は、上述されたワイヤレスネットワークおよび無線技術、並びに、他のワイヤレスネットワークおよび無線技術に使用され得る。明確さのために、技法のある特定の態様は、ＬＴＥに関して以下に説明され、以下の説明の大部分でＬＴＥ用語が使用される。
実例的なワイヤレスネットワーク
[0022]  図１は、本開示の態様が実施され得るワイヤレス通信ネットワーク１００を示す。
【００１１】
[0023]  ワイヤレス通信ネットワーク１００は、ＬＴＥネットワークであり得る。ワイヤレスネットワーク１００は、多数の発展型ノードＢ（ｅＮＢ）１１０および他のネットワークエンティティを含み得る。ｅＮＢは、ユーザ機器デバイス（ＵＥ）と通信する局であり得、基地局、ノードＢ、アクセスポイント、等とも称され得る。各ｅＮＢ１１０は、特定の地理的エリアのための通信カバレッジを提供し得る。３ＧＰＰにおいて、「セル」という用語は、この用語が使用される文脈に応じて、ｅＮＢのカバレッジエリアおよび／またはこのカバレッジエリアにサービス提供するｅＮＢサブシステムを指すことができる。
【００１２】
[0024]  ｅＮＢは、マクロセル、ピコセル、フェムトセル、および／または、他のタイプのセルのための通信カバレッジを提供し得る。マクロセルは、比較的広い地理的エリア（例えば、半径数キロメートル）をカバーし得、サービスに加入しているＵＥによる無制限アクセスを可能にし得る。ピコセルは、比較的狭い地理的エリアをカバーし得、サービスに加入しているＵＥによる無制限アクセスを可能にし得る。フェムトセルは、比較的より狭い地理的エリア（例えば、住居）をカバーし得、フェムトセルとの関連性を有するＵＥ（例えば、限定加入者グループ（ＣＳＧ）のＵＥ、住居内のユーザのためのＵＥ、等）による制限されたアクセスを可能にし得る。マクロセルのためのｅＮＢは、マクロｅＮＢ（すなわち、マクロ基地局）と称され得る。ピコセルのためのｅＮＢは、ピコｅＮＢ（すなわち、ピコ基地局）と称され得る。フェムトセルのためのｅＮＢは、フェムトｅＮＢ（すなわち、フェムト基地局）またはホームｅＮＢと称され得る。図１に示される例では、ｅＮＢ１１０ａ、１１０ｂ、および１１０ｃが、それぞれ、マクロセル１０２ａ、１０２ｂ、および１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれ、フェムトセル１０２ｙおよび１０２ｚのためのフェムトｅＮＢであり得る。ｅＮＢは、１つまたは複数の（例えば、３つの）セルをサポートし得る。
【００１３】
[0025]  ワイヤレスネットワーク１００はまた、リレー局（すなわち、リレー）を含み得る。リレー局は、アップストリーム局（例えば、ｅＮＢまたはＵＥ）から、データおよび／または他の情報を受信し、ダウンストリーム局（例えば、ＵＥまたはｅＮＢ）に、データおよび／または他の情報の送信を送る局である。リレー局はまた、他のＵＥのための送信をリレーするＵＥであり得る。
【００１４】
[0026]  本開示の態様によると、リレーは、適時的に選択され、ＵＥに送信をリレーするようにアクティブにされ得るため、「適時的な」リレーと称され得る。図１に示される例では、リレー局１１０ｒが、ｅＮＢ１１０ａとＵＥ１２０ｒとの間の通信を促進するために、ｅＮＢ１１０ａおよびＵＥ１２０ｒと通信し得る。リレー局は、リレーｅＮＢ、リレー、等とも称され得る。
【００１５】
[0027]  ワイヤレスネットワーク１００は、異なるタイプのｅＮＢ、例えば、マクロｅＮＢ、ピコｅＮＢ、フェムトｅＮＢ、リレー、等を含む異種ネットワークであり得る。これら異なるタイプのｅＮＢは、ワイヤレスネットワーク１００において、異なる送信電力レベル、異なるカバレッジエリア、および干渉に対する異なる影響を有し得る。例えば、マクロｅＮＢが高い送信電力レベル（例えば、２０ワット）を有し得るのに対し、ピコｅＮＢ、フェムトｅＮＢ、およびリレーは、より低い送信電力レベル（例えば、１ワット）を有し得る。
【００１６】
[0028]  ワイヤレスネットワーク１００は、同期または非同期動作をサポートし得る。同期動作の場合、ｅＮＢは、同様のフレームタイミングを有し得、異なるｅＮＢからの送信は、ほぼ時間的に揃えられ得る。非同期動作の場合、ｅＮＢは、異なるフレームタイミングを有し得、異なるｅＮＢからの送信は、時間的に揃えられない可能性がある。本明細書において説明される技法は、同期および非同期動作の両方に対して使用され得る。
【００１７】
[0029]  ネットワークコントローラ１３０は、ｅＮＢのセットに結合し得、これらｅＮＢ１１０に対して調整および制御を提供し得る。ネットワークコントローラ１３０は、バックホールを介してｅＮＢ１１０と通信し得る。本開示の態様によると、ネットワークコントローラまたはｅＮＢは、図１１に示される動作１１００のような、開示された様々なプロセスおよび動作を行い得る。ネットワークコントローラまたはｅＮＢにおける１つ以上のプロセッサは、開示された様々なプロセスおよび動作を行う際にネットワークコントローラまたはｅＮＢを指示し得る。メモリまたは他のプロセッサ可読媒体またはコンピュータ可読媒体は、開示された様々なプロセスおよび動作を指示または行う際に実行するプロセッサのための命令を備え得る。ｅＮＢ１１０はまた、例えば、ワイヤレスまたはワイヤラインバックホールを介して直接または間接的に、互いに通信し得る。
【００１８】
[0030]  ＵＥ１２０は、ワイヤレスネットワーク１００全体にわたって分布され得、各ＵＥは、固定式または移動式であり得る。ＵＥは、端末、移動局、加入者ユニット、局、等とも称され得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、等であり得る。ＵＥは、マクロｅＮＢ、ピコｅＮＢ、フェムトｅＮＢ、リレー、等と通信可能であり得る。図１において、両側矢印の実線は、ＵＥと、ダウンリンクおよび／またはアップリンク上でＵＥにサービス提供するように指定されたｅＮＢであるサービス提供するｅＮＢとの間の所望の送信を示す。両側矢印の点線は、ＵＥとｅＮＢとの間の干渉送信を示す。ある特定の態様では、ＵＥが、ＬＴＥリリース１０ＵＥを備え得る。
【００１９】
[0031]  ＬＴＥは、ダウンリンク上で直交周波数分割多重（ＯＦＤＭ）を、アップリンク上で単一キャリア周波数分割多重（ＳＣ−ＦＤＭ）を、利用する。ＯＦＤＭおよびＳＣ−ＦＤＭは、システム帯域幅を複数（Ｋ）個の直交サブキャリアに分割し、これは、一般的に、トーン、ビン、等とも称される。各サブキャリアは、データにより変調され得る。一般に、変調シンボルは、ＯＦＤＭでは周波数領域で、ＳＣ−ＦＤＭＡでは時間領域で、送られる。隣接するサブキャリア間の間隔は、固定であり得、サブキャリアの合計数（Ｋ）は、システム帯域幅に依存し得る。例えば、Ｋは、１．２５、２．５、５、１０または２０メガヘルツ（ＭＨｚ）のシステム帯域幅に対して、それぞれ、１２８、２５６、５１２、１０２４または２０４８に等しくなり得る。システム帯域幅はまた、サブバンドに分割され得る。例えば、サブバンドは、１．０８ＭＨｚをカバーし得、１．２５、２．５、５、１０または２０ＭＨｚのシステム帯域幅に対して、それぞれ、１、２、４、８、または１６個のサブバンドが存在し得る。
【００２０】
[0032]  図２は、ＬＴＥにおいて使用されるフレーム構造を示す。ダウンリンクのための送信タイムラインは、無線フレームの単位に分割され得る。各無線フレームは、所定の持続時間（例えば、１０ミリ秒（ｍｓ））を有し得、０〜９のインデックスを有する１０個のサブフレームに分割され得る。各サブフレームは、２つのスロットを含み得る。従って、各無線フレームは、０〜１９のインデックスを有する２０個のスロットを含み得る。各スロットは、Ｌ個のシンボル期間、例えば、（図２に示されるような）通常のサイクリックプレフィックスの場合はＬ＝７個のシンボル期間、または拡張されたサイクリックプレフィックスの場合はＬ＝６個のシンボル期間を含み得る。各サブフレーム内における２Ｌ個のシンボル期間は、０〜２Ｌ−１のインデックスを割り当てられ得る。利用可能な時間周波数リソースは、リソースブロックに分割され得る。各リソースブロックは、１つのスロットにおいてＮ個のサブキャリア（例えば、１２個のサブキャリア）をカバーし得る。
【００２１】
[0033]  ＬＴＥにおいて、ｅＮＢは、ｅＮＢにおける各セルについてのプライマリ同期信号（ＰＳＳ）およびセカンダリ同期信号（ＳＳＳ）を送信し得る。プライマリおよびセカンダリ同期信号は、それぞれ、図２に示されるように、通常のサイクリックプレフィックスを有する各無線フレームのサブフレーム０および５の各々におけるシンボル期間６および５において送られ得る。同期信号は、セルの検出および獲得のためにＵＥによって使用され得る。ｅＮＢは、サブフレーム０のスロット１におけるシンボル期間０〜３において物理ブロードキャストチャネル（ＰＢＣＨ）を送り得る。ＰＢＣＨは、ある特定のシステム情報を搬送し得る。
【００２２】
[0034]  ｅＮＢは、図２において示されるように、各サブフレームの第１のシンボル期間において物理制御フォーマットインジケータチャネル（ＰＣＦＩＣＨ）を送り得る。ＰＣＦＩＣＨは、制御チャネルに使用されるシンボル期間の数（Ｍ）を伝達し、ここで、Ｍは、１、２、または３に等しくあり得、サブフレーム毎に変わり得る。Ｍはまた、例えば、１０個未満のリソースブロックを有する小さなシステム帯域幅で、４に等しくなり得る。ｅＮＢは、各サブフレームの第１のＭ個のシンボル期間（図２に図示せず）において、物理ＨＡＲＱインジケータチャネル（ＰＨＩＣＨ）および物理ダウンリンク制御チャネル（ＰＤＣＣＨ）を送り得る。ＰＨＩＣＨは、ハイブリッド自動再送要求（ＨＡＲＱ）をサポートするための情報を搬送し得る。ＰＤＣＣＨは、ＵＥのためのリソース割り当てに関する情報と、ダウンリンクチャネルのための制御情報を搬送し得る。ｅＮＢは、各サブフレームの残りのシンボル期間内において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。ＬＴＥにおける様々な信号およびチャネルは、「発展型ユニバーサル地上無線接続（Ｅ−ＵＴＲＡ）；物理チャネルおよび変調」と題する、公的に利用可能な３ＧＰＰ ＴＳ ３６．２１１において説明されている。
【００２３】
[0035]  ｅＮＢは、ｅＮＢによって使用されるシステム帯域幅の中心である１．０８ＭＨｚにおいて、ＰＳＳ、ＳＳＳ、およびＰＢＣＨを送り得る。ｅＮＢは、ＰＣＦＩＣＨおよびＰＨＩＣＨを、これらチャネルが送られる各シンボル期間において、システム帯域幅全体にわたって送り得る。ｅＮＢは、システム帯域幅のある特定の部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥに対してブロードキャスト方式でＰＳＳ、ＳＳＳ、ＰＢＣＨ、ＰＣＦＩＣＨ、およびＰＨＩＣＨを送り得、特定のＵＥに対してユニキャスト方式でＰＤＣＣＨを送り得、また、特定のＵＥに対してユニキャスト方式でＰＤＳＣＨを送り得る。
【００２４】
[0036]  多数のリソース要素が各シンボル期間において利用可能であり得る。各リソース要素は、１つのシンボル期間において１つのサブキャリアをカバーし得、１つの変調シンボルを送るために使用され得、それは、実数または複素数であり得る。各シンボル期間における参照信号に使用されないリソース要素は、リソース要素グループ（ＲＥＧ）内に配置され得る。各ＲＥＧは、１つのシンボル期間における４つのリソース要素を含み得る。ＰＣＦＩＣＨは、４つのＲＥＧを占有し得、それらは、シンボル期間０において周波数にわたってほぼ等しく間隔を空けられ得る。ＰＨＩＣＨは、３つのＲＥＧを占有し得、それらは、１つ以上の設定可能なシンボル期間において周波数にわたって拡散され得る。例えば、ＰＨＩＣＨのための３つのＲＥＧは全て、シンボル期間０に属し得る、またはシンボル期間０、１および２において拡散され得る。ＰＤＣＣＨは、９、１８、３２、または６４個のＲＥＧを占有し得、それらは、最初のＭ個のシンボル期間において、利用可能なＲＥＧから選択され得る。ＲＥＧのある特定の組み合わせのみが、ＰＤＣＣＨに対して許可され得る。
【００２５】
[0037]  ＵＥは、ＰＨＩＣＨおよびＰＣＦＩＣＨに使用される特定のＲＥＧを知り得る。ＵＥは、ＰＤＣＣＨのために、ＲＥＧの異なる組み合わせを探索し得る。探索するための組み合わせの数は、典型的にＰＤＣＣＨに対して許可される組み合わせの数より少ない。ｅＮＢは、ＵＥが探索するであろう任意の組合せにおいてＰＤＣＣＨをＵＥに送信し得る。
【００２６】
[0038]  図２Ａは、ＬＴＥにおけるアップリンクのための例示的なフォーマット２００Ａを示す。アップリンクのための利用可能なリソースブロックは、データセクションおよび制御セクションに分割され得る。制御セクションは、システム帯域幅の２つの端において形成され得、設定可能なサイズを有し得る。制御セクションにおけるリソースブロックは、制御情報の送信のためにＵＥに割り当てられ得る。データセクションは、制御セクションに含まれない全てのリソースブロックを含み得る。図２Ａにおける設計は、連続的なサブキャリアを含むデータセクションをもたらし、それは、データセクションにおける連続的なサブキャリアの全てが単一のＵＥに割り当てられることを可能にし得る。
【００２７】
[0039]  ＵＥは、ｅＮＢに制御情報を送信するために、制御セクションにおけるリソースブロックを割り当てられ得る。ＵＥはまた、ｅＮＢにデータを送信するために、データセクションにおけるリソースブロックを割り当てられ得る。ＵＥは、制御セクションにおける割り当てられたリソースブロック上の物理アップリンク制御チャネル（ＰＵＣＣＨ）２１０ａ、２１０ｂにおいて、制御情報を送信し得る。ＵＥは、データセクションにおける割り当てられたリソースブロック上の物理アップリンク共有チャネル（ＰＵＳＣＨ）２２０ａ、２２０ｂにおいて、データのみ、またはデータと制御情報の両方を送信し得る。アップリンク送信は、図２Ａに示されるようにサブフレームの両方のスロットにわたり得、周波数にわたってホッピングし得る。
【００２８】
[0040]  ＵＥは、複数のｅＮＢのカバレッジ内にあり得る。これらｅＮＢのうちの１つは、ＵＥにサービス提供するために選択され得る。サービス提供するｅＮＢは、受信電力、経路損失、信号対雑音比（ＳＮＲ）、等のような様々な基準に基づいて選択され得る。
【００２９】
[0041]  ＵＥは、ＵＥが１つ以上の干渉ｅＮＢから高い干渉を観測し得る支配的な干渉シナリオにおいて動作し得る。支配的な干渉のシナリオは、制限された関連性によって生じ得る。例えば、図１において、ＵＥ１２０ｙは、フェムトｅＮＢ１１０ｙの近くにあり得、ｅＮＢ１１０ｙに対して高い受信電力を有し得る。しかしながら、ＵＥ１２０ｙは、制限された関連性によってフェムトｅＮＢ１１０ｙにアクセスできない可能性があり、（図１に示されるように）より低い受信電力を有するマクロｅＮＢ１１０ｃに接続し得る、または（図１に示されていない）同じくより低い受信電力を有するフェムトｅＮＢ１１０ｚに接続し得る。ＵＥ１２０ｙは、その後、ダウンリンク上でフェムトｅＮＢ１１０ｙからの高い干渉を観測し、また、アップリンク上でｅＮＢ１１０ｙに対して高い干渉を引き起こし得る。
【００３０】
[0042]  支配的な干渉シナリオはまた、範囲拡大によって生じ得、これは、ＵＥが、そのＵＥによって検出される全てのｅＮＢの中の、より低い経路損失およびより低いＳＮＲを有するｅＮＢに接続するシナリオである。例えば、図１において、ＵＥ１２０ｘは、マクロｅＮＢ１１０ｂおよびピコｅＮＢ１１０ｘを検出し得、ｅＮＢ１１０ｘに対してｅＮＢ１１０ｂよりも低い受信電力を有し得る。それにもかかわらず、ｅＮＢ１１０ｘの経路損失がマクロｅＮＢ１１０ｂの経路損失よりも低い場合、ＵＥ１２０ｘにとってピコｅＮＢ１１０ｘに接続することが望ましい可能性がある。これにより、ＵＥ１２０ｘの所与のデータレートに対するワイヤレスネットワークへの干渉が少なくなり得る。
【００３１】
[0043]  一態様において、支配的な干渉シナリオにおける通信は、異なるｅＮＢを異なる周波数帯域で動作させることによってサポートされ得る。周波数帯域は、通信に使用され得る周波数の範囲であり、（ｉ）中心周波数および帯域幅、または（ｉｉ）より低い周波数およびより高い周波数によって与えられ得る。周波数帯域は、帯域、周波数チャネル、等とも称され得る。異なるｅＮＢのための周波数帯域は、強いｅＮＢがそのＵＥと通信することを可能にしながら、ＵＥが支配的な干渉シナリオにおいてより弱いｅＮＢと通信できるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３２】
[0044]  図３は、基地局またはｅＮＢ１１０およびＵＥ１２０の設計のブロック図であり、それらは、図１における基地局／ｅＮＢのうちの１つおよびＵＥのうちの１つであり得る。制限された関連性シナリオでは、ｅＮＢ１１０が、図１におけるマクロｅＮＢ１１０ｃであり得、ＵＥ１２０が、ＵＥ１２０ｙであり得る。ｅＮＢ１１０はまた、何らかの他のタイプの基地局であり得る。ｅＮＢ１１０は、Ｔ個のアンテナ３３４ａ〜３３４ｔが装備され得、ＵＥ１２０は、Ｒ個のアンテナ３５２ａ〜３５２ｒが装備され得、ここで、一般に、Ｔ≧１およびＲ≧１である。
【００３３】
[0045]  ｅＮＢ１１０において、送信プロセッサ３２０は、データソース３１２からデータを受信し得、コントローラ／プロセッサ３４０から制御情報を受信し得る。制御情報は、ＰＢＣＨ、ＰＣＦＩＣＨ、ＰＨＩＣＨ、ＰＤＣＣＨ、等のためのものであり得る。データは、ＰＤＳＣＨ、等のためのものであり得る。送信プロセッサ３２０は、データおよび制御情報を処理（例えば、符号化およびシンボルマッピング）して、データシンボルおよび制御シンボルをそれぞれ取得し得る。送信プロセッサ３２０はまた、例えば、ＰＳＳ、ＳＳＳのための参照シンボル、およびセル特有の参照信号を生成し得る。送信（ＴＸ）多入力多出力（ＭＩＭＯ）プロセッサ３３０は、適用可能な場合、データシンボル、制御シンボル、および／または参照シンボルに空間処理（例えば、プリコーディング）を行い得、Ｔ個の出力シンボルストリームをＴ個の変調器（ＭＯＤ）３３２ａ〜３３２ｔに提供し得る。各変調器３３２は、（例えば、ＯＦＤＭ、等のために）それぞれの出力シンボルストリームを処理して、出力サンプルストリームを取得し得る。各変調器３３２はさらに、出力サンプルストリームを処理（例えば、アナログ変換、増幅、フィルタリング、およびアップコンバート）して、ダウンリンク信号を取得し得る。変調器３３２ａ〜３３２ｔからのＴ個のダウンリンク信号は、それぞれ、Ｔ個のアンテナ３３４ａ〜３３４ｔを介して送信され得る。
【００３４】
[0046]  ＵＥ１２０において、アンテナ３５２ａ〜３５２ｒは、ｅＮＢ１１０からダウンリンク信号を受信し得、受信された信号を、それぞれ、復調器（ＤＥＭＯＤ）３５４ａ〜３５４ｒに提供し得る。各復調器３５４は、受信されたそれぞれの信号を調整（例えば、フィルタリング、増幅、ダウンコンバート、およびデジタル化）して、入力サンプルを取得し得る。各復調器３５４はさらに、（例えば、ＯＦＤＭ、等のために）入力サンプルを処理して、受信されたシンボルを取得し得る。ＭＩＭＯ検出器３５６は、全てのＲ個の復調器３５４ａ〜４５４ｒから受信されたシンボルを取得し、適用可能な場合、受信されたシンボルに対してＭＩＭＯ検出を行い、検出されたシンボルを提供し得る。受信プロセッサ３５８は、検出されたシンボルを処理（例えば、復調、デインタリーブ、復号）し、データシンク３６０にＵＥ１２０のための復号されたデータを提供し、コントローラ／プロセッサ３８０に復号された制御情報を提供し得る。
【００３５】
[0047]  アップリンクでは、ＵＥ１２０において、送信プロセッサ３６４が、データソース３６２から（例えば、ＰＵＳＣＨのための）データを、およびコントローラ／プロセッサ３８０から（例えば、ＰＵＣＣＨのための）制御情報を、受信および処理し得る。送信プロセッサ３６４はまた、参照信号のための参照シンボルを生成し得る。送信プロセッサ３６４からのシンボルは、適用可能な場合、ＴＸ ＭＩＭＯプロセッサ３６６によってプリコーディングされ、さらに（例えば、ＳＣ−ＦＤＭ、等のために）変調器３５４ａ〜３５４ｒによって処理され、ｅＮＢ１１０に送信され得る。ｅＮＢ１１０において、ＵＥ１２０からのアップリンク信号が、アンテナ３３４によって受信され、復調器３３２によって処理され、適用可能な場合にはＭＩＭＯ検出器３３６によって検出され、受信プロセッサ３３８によってさらに処理されて、ＵＥ１２０によって送られた、復号されたデータおよび制御情報を取得し得る。受信プロセッサ３３８は、データシンク３３９に復号されたデータを提供し、コントローラ／プロセッサ３４０に復号された制御情報を提供し得る。
【００３６】
[0048]  コントローラ／プロセッサ３４０および３８０は、それぞれ、ｅＮＢ１１０およびＵＥ１２０における動作を指示し得る。ｅＮＢ１１０におけるコントローラ／プロセッサ３４０、受信プロセッサ３３８、および／または他のプロセッサとモジュールは、図１１における動作１１００および／または本明細書に記載された技法についての他のプロセスを行いまたは指示し得る。メモリ３４２および３８２は、それぞれ、ｅＮＢ１１０およびＵＥ１２０のためのデータおよびプログラムコードを記憶し得る。メモリ３４２は、例えば、図１１における動作１１００を行うためのプログラムコードを記憶し得る。スケジューラ３４４は、ダウンリンクおよび／またはアップリンク上のデータ送信のためにＵＥをスケジュールし得る。スケジューラ３４４はまた、図１１における動作１１００および／または本明細書に記載された技法についての他のプロセスを行いまたは指示し得る。
実例的なリソース分割
[0049]  本開示のある特定の態様によると、ネットワークがエンハンスドセル間干渉調整（ｅＩＣＩＣ）をサポートする場合、ネットワークの基地局は、干渉を低減または解消するために、リソースを調整するように互いにネゴシエートし得る。干渉は、それらのリソースの一部を放棄した（giving up）１つ以上の干渉セルによって低減され得る。この干渉調整に従って、ＵＥは、干渉セルによってもたらされたリソースを使用することで、深刻な干渉を伴うサービス提供するセルにでさえアクセスすることが可能であり得る。
【００３７】
[0050]  例えば、マクロセルのカバレッジエリア内で動作しているフェムトセルは、リソースをもたらすことおよび干渉を効果的に除去することによって、マクロセルのためのフェムトセル独自のカバレッジエリア内に「カバレッジホール」を作成することが可能であり得る。フェムトセルは、クローズドアクセスモードで動作し得る、すなわち、適切なクローズド加入者グループのメンバであるＵＥのみがフェムトセルにアクセスすることを可能にする。マクロセルがオープンアクセスである、すなわち、ネットワークに加入している任意のＵＥがそれにアクセスすることを可能する場合、リソースをもたらすためにフェムトセルについてネゴシエートすることで、マクロセルは、フェムトセルのクローズド加入者グループのメンバではないフェムトセルのカバレッジエリア内のＵＥが、もたらされたリソースを使用しているマクロセルにアクセスすることを可能にし得る。
【００３８】
[0051]  進化型ユニバーサル地上無線アクセスネットワーク（Ｅ−ＵＴＲＡＮ）のような、ＯＦＤＭを使用する無線アクセスシステムにおいて、もたらされるリソースは、時間ベース、周波数ベース、またはそれらの組み合わせであり得る。調整されたリソース分割が時間ベースである場合、干渉セルは単に、時間領域においていくつかの時間期間（例えば、サブフレーム）を使用しない可能性がある。調整されたリソース分割が周波数ベースである場合、干渉セルは周波数領域においてサブキャリアをもたらし得る。調整されたリソース分割が周波数ベースおよび時間ベースの両方である場合、干渉セルは、ある特定の時間期間（例えば、サブフレーム）中に、ある特定の周波数リソースをもたらし得る。
【００３９】
[0052]  図４は、実線の無線リンク４０２によって示されるように、ＵＥ１２０ｙがフェムトセルｙから深刻な干渉を経験しているときでさえも、ｅＩＣＩＣは、ｅＩＣＩＣをサポートするＵＥ１２０ｙ（例えば、図４に示めされるようなＲｅｌ−１０マクロＵＥ）がマクロセル１１０ｃにアクセスすることを可能にし得る、実例的なシナリオを示す。途切れた（broken）無線リンク４０４によって示されるように、レガシーＵＥ１２０ｕ（例えば、図４に示めされるようなＲｅｌ−８ＵＥ）は、フェムトセル１１０ｙからの深刻な干渉下でマクロセル１１０ｃにアクセスできない可能性がある。ＵＥ１２０ｖ（例えば、図４に示めされるようなＲｅｌ−８ＵＥ）は、マクロセル１１０ｃからのいかなる干渉問題もなしにフェムトセル１１０ｙにアクセスし得る。
【００４０】
[0053]  ある特定の態様によると、ネットワークは、分割情報の異なるセットを利用して、ｅＩＣＩＣをサポートし得る。これらセットのうちの第１のものは、半静的リソース分割情報（ＳＲＰＩ：Semi-Static Resource Partitioning information）と称され得る。これらセットのうちの第２のものは、適応型リソース分割情報（ＡＲＰＩ：Adaptive Resource Partitioning information）と称され得る。その名前が暗に示すように、ＳＲＰＩは通常、頻繁に変化することはなく、ＳＲＰＩは、ＵＥがそのＵＥ自らの動作のためにリソース分割情報を使用できるように、そのＵＥに伝達され得る。
【００４１】
[0054]  例として、リソース分割は、８ｍｓ周期性（８サブフレーム）あるいは４０ｍｓ周期性（４０サブフレーム）で実現され得る。ある特定の態様によると、周波数分割複信（ＦＤＤ）はまた、周波数リソースも分割され得るように適用され得る。（例えば、セルノードＢからＵＥへの）ダウンリンクを介した通信では、分割パターンが、知られているサブフレーム（例えば、４などの整数Ｎの倍数であるシステムフレーム番号（ＳＦＮ）値を有する各無線フレームの第１のサブフレーム）にマッピングされ得る。そのようなマッピングは、特定のサブフレームについてのリソース分割情報（ＲＰＩ）を決定するために適用され得る。一例として、ダウンリンクについての（例えば、干渉セルによってもたらされる）調整されたリソース分割の対象となるサブフレームは、インデックス、すなわち、０から７に及ぶインデックスＳＲＰＩ＿ＤＬ、によって識別され得、下記の式によって定義され得る。
【００４２】
インデックスＳＲＰＩ＿ＤＬ＝（ＳＦＮ＊１０＋サブフレームナンバ）ｍｏｄ８
[0055]  アップリンクでは、ＳＲＰＩマッピングが、例えば、４個のサブフレームだけダウンリンクマッピングからシフトされ得る。よって、アップリンクのための、実例的なインデックス、すなわち、インデックスＳＲＰＩ＿ＵＬは、下記の式によって定義され得る。
【００４３】
インデックスＳＲＰＩ＿ＵＬ＝（ＳＦＮ＊１０＋サブフレームナンバ＋４）ｍｏｄ８
[0056]  ＳＲＰＩは、各エントリのために以下の３つの値を使用し得る：
【００４４】
【表１】
2016524424.tif 000003
【００４５】
[0057]  ＳＲＰＩのための別の可能なパラメータのセットが、以下に示され得る：
【００４６】
【表２】
2016524424.tif 000004
【００４７】
[0058]  サービス提供するセルのＳＲＰＩは、セルによってブロードキャストされ得る。Ｅ−ＵＴＲＡＮでは、サービス提供するセルのＳＲＰＩが、マスタ情報ブロック（ＭＩＢ）において、またはシステム情報ブロック（ＳＩＢ）において、送信され得る。ＳＰＲＩの１つ以上のセットは、例えば、マクロセル、オープンアクセスを有するピコセル、およびクローズドアクセスを有するフェムトセルのような、セルの特性に基づいて予め定義され得る。このような場合には、ＳＲＰＩの所定のセットは、例えば、所定のＳＲＰＩに関する各インデックスを有するインデックスのセットを定義することによって、符号化され得る。インデックスの送信は、ＳＲＰＩ全体をブロードキャストすることに比べて、無線を介してシステムオーバヘッドメッセージにおけるＳＲＰＩのより効率的なブロードキャストをもたらし得る。
【００４８】
[0059]  基地局はまた、ＳＩＢにおいて隣接セルのＳＰＲＩ（例えば、ＳＲＰＩ全体またはＳＲＰＩインデックス）をブロードキャストし得る。隣接セルのＳＲＰＩをブロードキャストするために、基地局は、隣接セルのＳＲＰＩを隣接セルの対応する物理セルアイデンティティ（ＰＣＩ）またはＰＣＩの範囲と共に送信し得る。例えば、基地局は、バックホール接続を介して隣接しているセルからＳＲＰＩを受信し得、ＳＩＢにおいて隣接しているセルのＰＣＩのリストおよび隣接セルのＳＲＰＩについてのインデックスを送信し得る。第２の例では、基地局が、バックホール接続を介して２つの隣接しているセルから第１のＳＲＰＩを、第３の隣接しているセルから第２のＳＲＰＩを、受信し得る。第２の例では、基地局が、（単数または複数の）ＳＩＢにおいて第１のＳＲＰＩのインデックスに関連付けられた第１の２つの隣接しているセルについてのＰＣＩおよび第２のＳＲＰＩのインデックスに関連付けられた第３の隣接しているセルについてのＰＣＩを送信し得る。
【００４９】
[0060]  ＡＲＰＩは、ＳＲＰＩにおける未知の（「Ｘ」個の）サブフレームについての詳細な情報を含む更なるリソース分割情報を表し得る。上述したように、「Ｘ」個のサブフレームについての詳細情報は、一般に、基地局によってのみ所有され、ＵＥは一般にそれを所有しない。
【００５０】
[0061]  図５は、マクロおよびフェムトセルを伴うリソース分割シナリオにおけるＳＲＰＩ割り当ての例５００を示す。マクロセルの例示的なＳＲＰＩ割り当ては、５０２に示される。フェムトセルの例示的なＳＲＰＩ割り当ては、５０４に示される。Ｕ、Ｎ、ＸまたはＣサブフレームは、Ｕ、Ｎ、ＸまたはＣ ＳＲＰＩ割り当てに対応するサブフレームである。
【００５１】
[0062]  図６は、ＦＤＤで動作するマクロおよびフェムトセルを伴うリソース分割シナリオにおけるＳＲＰＩ割り当ての例６００を示す。マクロセルのためのダウンリンクの例示的なＳＲＰＩ割り当ては６０２に示され、対応するアップリンクのＳＲＰＩ割り当ては６０４に示される。フェムトセルのためのダウンリンクの例示的なＳＲＰＩ割り当ては６０６に示され、対応するアップリンクのＳＲＰＩ割り当ては６０８に示される。Ｕ、Ｎ、ＸまたはＣサブフレームは、Ｕ、Ｎ、ＸまたはＣ ＳＲＰＩ割り当てに対応するサブフレームである。
[0063]  図７は、本開示のある特定の態様に従ってＣｏＭＰ送信の実例的なシナリオを示す。図７に見られるように、ＵＥ７０２は、ｅＮＢ７０６よりもＲＲＨ７０４ａにはるかに近く、データおよび／または制御をＲＲＨ７０４ａに送信し得る。よって、それは、アップリンク上でＲＲＨ７０４ａによってサービス提供されるＵＥ７０２にとってより効率的であり得る（例えば、ＵＥ７０２は、ｅＮＢ７０６に送信するためにＵＥ７０２に必要とされる電力よりも少ない電力を使用してＲＲＨ７０４ａに送信し得る）。
【００５２】
[0064]  図８は、本開示のある特定の態様に従って協調マルチポイント（ＣｏＭＰ）送信の別の実例的なシナリオを示す。図８に見られるように、ダウンリンク（ＤＬ）信号は１つのマクロセル（ｅＮＢ７０６）および４つのピコセル（ＲＲＨ７０４ａ、ＲＲＨ７０４ｂ、ＲＲＨ７０４ｃ、およびＲＲＨ７０４ｄ）からＵＥ７０２に送信されるが、アップリンク（ＵＬ）送信はＲＲＨ７０４ａによってのみ受信されるので、ＲＲＨ７０４ａは、ＲＲＨ７０４ｂ、ＲＲＨ７０４ｃ、ＲＲＨ７０４ｄ、およびｅＮＢ７０６よりもＵＥ７０２に近い。
実例的なクラウド無線アクセスネットワークにおけるリレーの適時的なアクティベーション
[0065]  ワイヤレスネットワークは、近年において驚異的な発展が見られるが、多くはスマートフォンの急速増殖によって加速されている。この傾向は、弱まることなく続く可能性があり、産業レポートは、毎年おおよそのデータ要求の倍増を示唆する。
【００５３】
[0066]  この急成長に対応するために、ワイヤレスオペレータは、彼らのワイヤレスネットワークを複数の方法で強化し得る。１つの技法はセルの高密度化（densification）であり、これは、既存のマクロネットワークの上に低電力の「ピコセル」を展開することでユーザにより近いセルをもたらそうとするものである。ピコセルの低減された送信電力は、パイロット汚染（pilot pollution）に関する課題を回避でき、一方で、マクロセルのレイヤは、引き続きネットワークカバレッジがピコセルのカバレッジ外のエリアにおいて損なわれないようにする。マクロセルおよびピコセルのような、異なる電力レベルおよび機能のセルから成るネットワークは、異機種ネットワーク（ＨｅｔＮｅｔ）と称される。
【００５４】
[0067]  干渉調整なしではピコセルのカバレッジがマクロセルからの干渉により厳しく制限されるので、干渉調整は、異機種ネットワークにおいて獲得される利得を著しく向上させ得る。セル範囲拡張（ＣＲＥ：cell-range expansion）の概念もまた、著しい利得が立証されている。それは、ある特定のサブフレーム、いわゆるalmost-blank-subframes（ＡＢＳ）、上のマクロセルの送信を削除する技法およびＬＴＥにおけるセル特有の参照信号（ＣＲＳ）のような共通の参照信号の干渉除去に依存する。共に使用すると、ＣＲＳ干渉除去は、ピコセルのカバレッジを増加させ、その一方で、ＡＢＳサブフレームは、複数のピコセルが互いに著しい干渉を引き起こさずに同時にＵＥにサービス提供できるようにする。マクロセルはＡＢＳサブフレームにおける任意ユーザをスケジュールしないが、複数のピコセルがこれらサブフレームを同時に利用できるという事実は、マクロセルによるこれらサブフレームの使用の損失を十二分に補償し得る。
【００５５】
[0068]  しばしばリソース分割と称される、セル間のＡＢＳサブフレームの調整は、ネットワークにおけるセル間の遅いタイムスケールにおける調整を要求し得る。セル間の干渉調整は、速い、例えば、ファイバーベースの、バックホールが利用可能な場合、より速いタイムスケールで行える。そのような調整方式は、複数のセルからのチャネル状態情報（ＣＳＩ）のフィードバックにさらに依存し得、協調マルチポイント送信（ＣｏＭＰ）またはネットワークＭＩＭＯと称される。
【００５６】
[0069]  ＣｏＭＰは、学界および産業界の両方において、著しい注目を受けており、そのような動作のサポートは、ＬＴＥリリース１１に最近導入された。Ｒｅｌ−１１ＣｏＭＰに関連付けられた利得は、期待外れに終わり、結局、重要な容量利得以上にセル中心ユーザとセル端ユーザとの間のパフォーマンスのバランスを取ることになった。この意外な結果の理由は、ＣｏＭＰを使用したときの容量利得を予測する（projecting）研究が、主に、複数のセルが単一のＵＥに送信する、単純な共同送信方式に注視していたからである。単純な共同送信方式に注視することで、その研究は、それらの容量解析の規模（dimensions）のスケジューリングを考慮することに失敗する可能性がある。
【００５７】
[0070]  ある特定の態様に従って、複数の送信ポイント（ＴＰ）を有するセルは、単一のセル動作においてスケジュールされるのと同数のＵＥをスケジュールしながら、コヒーレント干渉ヌリング（coherent interference nulling）を行い得る。これは、干渉が他の方法では緩和されない、高密度なシナリオにおいて著しい利得の可能性を有する。この技法は、マルチポイント等化（ＭＰＥ）と称される。
【００５８】
[0071]  ＭＰＥ利得は、ＵＥがいくつかの強力なセルから干渉を受信する状況において最も重要であり得る。いくつかの強力な干渉セルに対してＣＳＩを報告すること、および干渉ヌリングを行うことによって、高い信号対干渉雑音比（ＳＩＮＲ）条件が、調整後に（post coordination）獲得されることができる。しかしながら、著しい干渉物の数は、ＵＥがそれら全てに対してＣＳＩを報告することを可能にするほど少なくする必要がある。よって、ＣＳＩが正確に測定されることができない著しい干渉物は、達成可能なＭＰＥパフォーマンスに対して制約因子（limiting factor）を表し得る。
【００５９】
[0072]  適時的なリレーは、上述した干渉調整技法とは別に発展してきた。適時的なリレーの前提は、セルとＵＥとの間の中間物としての機能を果たすために、実際のＵＥ、またはＵＥの形状因子を有する低電力ノードのいずれかを使用することである。リレーは、リレーがレギュラーＵＥと同様に動作する、リレーのバックホールリンク上のセルによってサービス提供され得る。リレーは、リレーがセルと同様に動作する、アクセスリンク上のＵＥにサービス提供し得る。バックホールおよびアクセスリンクは、半二重通信が必要となるのを避けるために周波数において分離され得る（例えば、周波数ｆ１上のバックホールリンクおよび周波数ｆ２上のアクセスリンク）。それらバックホールリンクおよびアクセスリンクを別個の周波数上で動作させるリレーは、しばしば帯域外リレーと称される。説明されている概念は帯域内リレー、すなわち、それらのバックホールリンクおよびアクセスリンクを同じ周波数上で動作させるリレー、まで拡大されているが、本開示の態様は、そのような帯域外リレーに焦点を合わせている。
【００６０】
[0073]  適時的なリレーにおける容量利得は、主に適時的な選択利得から生じ得る。多くの候補リレーは、小さなサブセットのみがアクティブにされ、実際にリレーとして機能する中で展開され得る。選択されたリレーは、高い容量利得を獲得するために、例えば、高いバックホール品質の観点から、優れたチャネル条件にあるべきなので、選択ステップは、パフォーマンスに極めて重要であり得る。レギュラーＵＥのいくつかは、マクロセルに接続中の場合、劣等なチャネル条件を経験するので、はるかに高いバックホール品質を獲得するリレーとの関連付けにより恩恵を得る。
【００６１】
[0074]  より高いバックホールスペクトル効率を獲得するための理由は、リレーの位置を含み得る。しかしながら、さらに重要なことは、利得は、好適な伝搬条件に位置することによりもたらされ得ることである。リレーのダウン選択（downselection）（すなわち、全て利用可能なリレーのセットからアクティブにすべきいくつかのリレーの選択）は、偶然にそのような好適な条件にある最良の少数のリレーのみを選択することにより統計的な利得をもたらし得る。よって、リレーおよびそのリレーがサービス提供するＵＥは、ダウン選択のプロセスから生じる適時的な利得により恩恵を得ることができる。
【００６２】
[0075]  本開示のある特定の態様によると、ＭＰＥおよび適時的なリレーの概念は、セルラ通信においてパフォーマンス利得を獲得するために組み合わせられ得る。具体的には、適時的なリレーのアクティベーションは、ＵＥがＣＳＩを報告できる干渉物の数よりも多くの干渉物によって影響を受けるＭＰＥのＵＥに対するパフォーマンス制限を避けるのに役立つ。ある特定の態様によると、そのようなＵＥは、より少ない干渉物によって影響を受け、干渉ヌリングを優れた精度で行えるリレーと関連し得る。
【００６３】
[0076]  ある特定の態様によると、ＭＰＥと適時的なリレーを組み合わせることは、レギュラー（非リレー）ＵＥと候補リレーの両方のＭＰＥ後のパフォーマンスを予測することと、アクティブにするリレーおよびどのＵＥをリレーと関連付けるかを選択することを含む少なくとも２つの重要な因子に依存し得る。
【００６４】
[0077]  ある特定の態様によると、セルは、ＭＰＥとリレーの適時的なアクティベーションの両方を使用して動作し得、アクティブにする候補リレーを決定することにおいて使用するために候補リレーおよびサービス提供されたＵＥのＭＰＥ後のパフォーマンスを予測し得る。例えば、８個のＵＥと３個の候補リレーにサービス提供しているセルは、ＭＰＥの下で６個のＵＥおよび３個全ての候補リレーについての優れたパフォーマンスを予測し得る。例において、セルは、ＭＰＥの下で残りの２つのＵＥについての劣等なパフォーマンスを予測し得、残りの２つのＵＥにリレーでサービス提供すると決定し得る。
【００６５】
[0078]  ある特定の態様によると、セルは、ある特定のリレーをアクティブにし、ＵＥをリレーと関連付ける（すなわち、ＵＥにサービス提供する）一方で、残りの他のリレーを非アクティブにする。例えば、セルは、８個のＵＥと３個の候補リレーにサービス提供し得、２つのＵＥにリレーでサービス提供すると決定し得る。例において、セルは、２つのＵＥの各々に１つのリレーでサービス提供し、それらリレーをアクティブにすると決定する一方で、第３のリレーを非アクティブにすると決定する。
【００６６】
[0079]  図９は、ある特定の態様に従って例示的な展開アーキテクチャを示す。アーキテクチャは、周波数帯域ｆ１およびｆ２にそれぞれ関連付けられた２つのレイヤ９０２および９０４から成る。ｆ１上では、ファイバーバックホール、すなわち、「クラウドＲＡＮ」、によって相互接続された多くの遠隔無線装置（ＲＲＨ）が、ＵＥとリレーの組み合わせにサービス提供するために、ＭＰＥを行う。ＵＥ１およびＵＥ５のようなＵＥは、ｆ１上でＲＲＨ（例えば、ＲＲＨ２およびＲＲＨ６）によって直接サービス提供され、リレーは使用せず、かつｆ２上でアクティブではない。ＲＲＨは、ｆ１上のバックホールリンクをアクティブにされたリレーＲ１およびＲ２に提供し得る。例えば、ＲＲＨ１、ＲＲＨ２、ＲＲＨ６、ＲＲＨ７、およびＲＲＨ８は、ｆ１上のバックホールリンクをＲ１に提供し得る。
【００６７】
[0080]  ある特定の態様によると、アクティブにされたリレーＲ１およびＲ２は、ｆ２上の基地局の役割を果たし得、ＵＥ２、ＵＥ３、およびＵＥ４のような、それら関連付けられたＵＥにサービス提供し得る。リレーによってサービス提供されたＵＥは、端末ＵＥと称される。アクティブにされたリレーのカバレッジエリアは、セルのカバレッジエリアよりも小さくあり得る。例えば、Ｒ１のカバレッジエリアは、エリア９０６であり得、一方でＲ２のカバレッジエリアは、エリア９０８であり得る。リレー間の速いバックホールが欠如している場合、ＭＰＥは、ｆ２上で行なわれない可能性がある。代わりに、リレーは、再利用−１送信をｆ２上の固定電力レベルで行い得る。例えば、アクティブにされたリレーは、他のアクティブにされたリレーに対する干渉を防ぐために選択された電力レベルでｆ２上で送信し得、それは、ｆ１上のＲＲＨおよびリレーによって使用された電力レベルよりも低くあり得る。
【００６８】
[0081]  ある特定のリレーのアクティベーションは、（例えば、図９におけるｆ２上の）アクセスリンク上のそれらリレー間で厳しい干渉条件を引き起こし得る。本開示のある特定態様によると、リレーアクティベーション手順は、そのような強力なアクセスリンク干渉が起こり得るシナリオを回避し得る。例えば、リレーアクティベーション手順は、リレーの物理的な位置を考慮し得、互いに強力なアクセスリンク干渉を引き起こすことを回避するのに十分な空間的隔離（spatial separation）を有するリレーのみをアクティブにし得る。
【００６９】
[0082]  ある特定の態様によると、リレーは、それら独自の任意のトラフィックを有さないが、ＲＲＨとそれらの関連付けられた端末ＵＥとの間の中間物のみの役割を果たし得る。例えば、リレーアクティベーション手順は、セルにおけるＲＲＨに関する情報をスケジュールすることを指し得、ＵＥ独自のデータを送信または受信するようにＲＲＨによってスケジュールされたＵＥがリレーとしてアクティブにされないようにする。
【００７０】
[0083]  図９を参照して、ＵＥの各々は、複数のＲＲＨのうちのいずれかに、または単一のリレーに、関連付けられ得る。前者の場合、ＵＥは、ｆ１上でのみアクティブな直接ＵＥと称され得る。後者の場合、ＵＥは、ｆ２上でアクティブな端末ＵＥと称され、本開示のある特定の態様に従って、多くの候補リレーの中から選択され得る単一のリレーに関連付けられ得る。
【００７１】
[0084]  ある特定の態様によると、リレーアクティベーションアルゴリズムは、ｆ１上の候補リレーの予想されるＭＰＥ後のパフォーマンス、候補リレーによってｆ２上で引き起こされる予想される干渉、および候補リレーの予想される負荷を含む、少なくとも３つの要因を考慮するように選択され得る。
【００７２】
[0085]  候補リレーの予想されるＭＰＥ後のパフォーマンスは、候補リレーが利用可能なバックホール品質に依存し得る。アクティベーションのためにリレーを選択するアルゴリズムは、例えば、各選択されたリレーが互いのアクティベーションのために選択されたリレーとバックホール容量を競わないようにするために、選択され得る。
【００７３】
[0086]  候補リレーによってｆ２上で引き起こされる予想される干渉は、選択されたリレーの空間的隔離に依存し得る。アクティベーションのためにリレーを選択するアルゴリズムは、例えば、各選択されたリレーが互いのアクティベーションのために選択されたリレーから離れた最小距離にあるようにするために、選択され得る。
【００７４】
[0087]  候補リレーの予想される負荷は、各リレーによってサポートされるＵＥの数に依存し得る。アクティベーションのためにリレーを選択するアルゴリズムは、例えば、各選択されたリレーが１つのＵＥのみをサポートするようにするために、選択され得る。そのようにしてリレーを選択することによって、アルゴリズムは、複数のＵＥが単一のリレーの制限されたバックホール容量を共有しないようにできる。
【００７５】
[0088]  ある特定の態様によると、ＲＲＨは、ファイバーベースのバックホールによって相互接続され得、それにより、ＲＲＨは、集中型スケジューラと共に使用される分散型アンテナアレイの役割を効率的に果たし得る。ある特定の態様によると、少なくとも１つのＵＥは、より少ないスケジュール機会に関連付けられたディメンジョン損失（dimension loss）を避けるために、集中型スケジューラによってＲＲＨ毎にスケジュールされ得る。
【００７６】
[0089]  ある特定の態様によると、リレーアクティベーションアルゴリズムでは、ＲＲＨが、サブフレーム毎にＲＲＨのサービス提供されたＵＥのうちの少なくとも１つをそれぞれスケジュールし得る。次に、ジョイント送信についてのプリコーディングベクトルを決定するために、システム全体のチャネルマトリックスがスケジュールされたＵＥによって報告されたＣＳＩに基づいて構築され得る。数学的に、システム全体のチャネルマトリックスＨは、
【００７７】
【数１】
2016524424.tif 000005
【００７８】
として表されることができ、ここで、ｈｉｊは、ｉ番目にスケジュールされたＵＥとｊ番目のＲＲＨとの間のチャネルを意味する。ある特定の態様によると、スケジュールされたＵＥの数Ｍは、ネットワークで利用可能な自由度よりも小さくなるように抑制され得、これは、１つのＲＲＨにつき一定数のＵＥのみスケジュールすることにより満たされ得る制約である。
【００７９】
[0090]  ある特定の態様によると、各ＵＥがシステムにおける全てのＲＲＨに対してＣＳＩを報告した場合、システム全体のチャネルマトリックスが全て構築され得る。さらに、ｈｉｊはランダムであるので、マトリックスＨは、ほぼ確実に擬似逆を有する。この擬似逆に対応する線形プリコーダＷを使用することによって、マルチポイントチャネルは完璧に反転させられ得る。すなわち、受信されたシンボルｙのベクトルは、
ｙ＝ＨＷｘ＝ＨＨ＋ｘ＝Ｉｘ
のように記載され、ここで、ｙｉは、ｉ番目にスケジュールされたＵＥに対応する。ここで、ｘは、伝達されるべきシンボルのベクトルを意味し、Ｈ＋は、擬似逆を意味し、Ｉは、アイデンティティマトリックスを意味する。
【００８０】
[0091]  図１０は、本開示の態様に従ってマルチポイント等化（ＭＰＥ）を行うＲＲＨを示す。ある特定の態様によると、ＵＥは、ネットワークにおける全てのＲＲＨに対してＣＳＩを報告できない可能性がある。これは図１０に示されており、ここで、ＵＥ１およびＵＥ２は、７個のＲＲＨ全てに対してＣＳＩを報告できない。ＵＥ１およびＵＥ２は、それぞれ、それらの無線報告セット（ＲＲＳ）と称される、ＲＲＨの示されたサブセットに対してのみＣＳＩを報告するように抑制され得る。すなわち、ＵＥ１は、ＵＥ１のＲＲＳ １０１０（ＲＲＨ１、ＲＲＨ２、ＲＲＨ３、ＲＲＨ４、およびＲＲＨ５）に対してのみＣＳＩを報告するように抑制され得、その一方で、ＵＥ２は、ＵＥ２のＲＲＳ １０２０（ＲＲＨ５、ＲＲＨ６、およびＲＲＨ７）に対してのみＣＳＩを報告するように抑制され得る。ＵＥのＲＲＳに含まれるＲＲＨは、それら送信がＵＥにおいてコヒーレントに結合するように線形プリコーディングを行うことが可能であり得る。無線報告セット外のＲＲＨは、同じ線形プリコーディングを行えない可能性があるが、それらは、ＲＲＳにおけるセルによって引き起こされた干渉をヌルするようにＵＥのデータを依然として送信し得る。これは、ＵＥ２についての図１０に示されており、ここで、ＵＥ１のＲＲＳ内ではないが、ＲＲＨ６およびＲＲＨ７は、ＵＥ２におけるＲＲＨ５の干渉をヌルアウト（null out）するようにＵＥ１のデータを送信し、これは、同時にスケジュールされる。それは、ＵＥ１についての図１０にも示されており、ここで、ＲＲＨ１、ＲＲＨ２、ＲＲＨ３、およびＲＲＨ４は、ＵＥ１におけるＲＲＨ５の干渉をヌルアウトするようにＵＥ２のデータを全て送信する。
【００８１】
[0092]  ある特定の態様によると、ＭＰＥパフォーマンスは、ＲＲＳサイズおよびＣＳＩフィードバックの精度を高めることにより向上し得る。例えば、６個のＲＲＨを使用してＭＰＥを行うセルは、３つのＲＲＨのうちの１つのＲＲＳで２つのＵＥをそれぞれ構成し得る。例において、セルは、システムのパフォーマンスを向上するために６個のＲＲＨを全て含むＲＲＳで２つのＵＥをそれぞれ再構成し得る。
【００８２】
[0093]  ある特定の態様によると、ＭＰＥシステムは、１つのＲＲＨにつき複数の送信アンテナおよび／または１つのＵＥにつき複数の受信アンテナを有することから恩恵を得ることができる。そのようなマルチアンテナの態様は、（ＵＥではなく）受信アンテナをＨの行と、および、（ＲＲＨではなく）送信アンテナをＨの列と関連付けることによって、干渉ヌリングアルゴリズムに組み込まれ得る。例えば、図１０のもののようなセルがＭＰＥを使用しており、各ＲＲＨが２つのアンテナを有する場合、セルは、チャネルマトリックスＨを１４（それぞれ２つのアンテナを備えた７個のＲＲＨ）列で構築する。例において、セルが、各々１つのアンテナを有する６個のＵＥを、および、各々２つのアンテナを有する２個のＵＥをスケジュールする場合。例において、セルは、１０（例えば、それぞれ１つのアンテナを備えた６個のＵＥおよび２つのアンテナを備えた２個のＵＥ）行および１２（それぞれ２つのアンテナを備えた６個のＲＲＨ）列のチャネルマトリックスＨを構築するだろう。
【００８３】
[0094]  ある特定の態様によると、ＭＰＥは、黙示的または明示的なフレームを含む、様々なＣＳＩフィードバックフレームワークを利用し得る。例えば、７個のＵＥにサービス提供するＭＰＥを使用するセルは、複数のＵＥのうちの５個のＵＥから明示的なＣＳＩフィードバック（例えば、非周期的なＣＳＩ報告）を、および他の２つのＵＥから黙示的なＣＳＩフィードバック（例えば、ＣＳＩが最後に報告されてから変更されていないことを示すインジケーション）を、利用するＵＥをスケジュールし得る。
【００８４】
[0095]  ある特定の態様によると、ＭＰＥプリコーディングアルゴリズムは、システム全体のチャネルマトリックスの擬似逆を計算することに限定されない。他のアルゴリズムもまた、例えば、信号対漏れ比を最大にすることに基づいて、考慮され得る。後者のアルゴリズムは、被害セル（victim cells）に対する干渉ヌリングとターゲットＵＥに対する信号エネルギーの最大化との間のトレードオフに打撃を与えるという恩恵を有する。
【００８５】
[0096]  ある特定の態様によると、多数の候補セットから選択された少数のリレーの適時的なアクティベーションが行われ得る。これら態様によると、適時的なリレー選択は、遅いタイムスケールで行われ得、高速フェージング、または動的干渉変動を考慮に入れない。むしろ、長期のチャネル測定（長期の受信電力と同様）は、ｆ１上のＭＰＥ後のパフォーマンスおよびｆ２上のアクセスリンクパフォーマンス（大量の周波数再利用を仮定する）の両方を予測するために使用され得る。適時的な選択は、長期のＵＥ報告に基づいて集中型方法（a centralized fashion）で行われ得る。例えば、適時的なリレー選択を使用するセルは、各ＵＥからの最新のＣＳＩ報告のみを使用するのではなく、最新の５分間にＵＥ１およびＵＥ２から受信されたＣＳＩ報告の平均に基づき得る。
【００８６】
[0097]  ある特定の態様によると、リレーアクティベーションは、アクティベーションより前にアイドルであり得る候補リレーの多数のセットに基づいて行われ得る。これら態様によると、ＭＰＥ後のパフォーマンスは、過去のサブフレームにおける実際のパフォーマンスに基づくことはできない。むしろ、ＭＰＥ後のパフォーマンスは、近くのセルから受信された電力レベルのような、長期のメトリックに基づいて予測され得る。例えば、適時的なリレー選択を使用するセルは、以前のスケジュール間隔において実際のパフォーマンスに基づいてリレーおよびサービス提供されたＵＥを選択するのではなく、近くのセルから受信された電力レベルに基づいて各スケジュール間隔においてアクティベートするリレーおよびそのリレーによってサービス提供されるＵＥを選択し得る。
【００８７】
[0098]  ある特定の態様によると、ＲＲＳの外部から生じる干渉は、ＭＰＥによって緩和されない可能性がある。例えば、図１０におけるセルのような、ＭＰＥを使用するセルにおいて、ＲＲＨ６およびＲＲＨ７からの送信は、ＵＥ１への送信に干渉する可能性があるが、ＲＲＨ６およびＲＲＨ７はＵＥ１のＲＲＳ内に存在しないので、ＲＲＨ６およびＲＲＨ７からの干渉送信はヌルされない、または別の方法でＭＰＥの使用によって緩和される。
【００８８】
[0099]  ある特定の態様によると、不完全なＣＳＩ推定により生じる劣化は、ネットワーク要素の長期のパフォーマンスから決定され得る。例えば、適時的なリレーアクティベーションを使用するセルにおいて、中央のスケジューラは、各リレーの使用に関連付けられたブロックエラー率（ＢＬＥＲ）をトラックし得、トラックされたブロックエラー率の平均に基づいて各リレーからＣＳＩ推定におけるエラーの推定を決定し得る。
【００８９】
[0100]  ある特定の態様によると、ＵＥのデータストリームの送信に関連付けられたエネルギー全てがそのＵＥに対するビームフォーミングに充てられるわけではない。これら態様によると、エネルギーの一部は、他のＵＥに対する干渉をヌリングすることに充てられる。この点における電力の途絶は、システム全体のチャネルマトリックスの瞬時符号合成（instantaneous composition）に依存し得、それは、他のＵＥの共同スケジューリング決定（co-scheduling decisions）を含む。ある特定の態様によると、他のＵＥに対する干渉をヌリングすることに充てられたエネルギーの一部は予測されない可能性があるが、ＲＲＳ内のＲＲＨからそのＵＥへの理想的な固有のビームフォーミング（ideal eigen-beamforming）により獲得される電力レベルと比べてバックオフ因子（backoff factor）を使用することで説明され得る。
【００９０】
[0101]  一例として図１０を参照すると、ＭＰＥを使用する７個のＲＲＨを備えたセルは、データの同時受信のために２つのＵＥ（例えば、ＵＥ１およびＵＥ２）をスケジュールし得る。例において、４つのＲＲＨがＵＥ１のＲＲＳ内にあり得、一方で、３つのＲＲＨがＵＥ２のＲＲＳ内にあり得る。例において、セルは、ＲＲＨ１、ＲＲＨ２、ＲＲＨ３、ＲＲＨ４、およびＲＲＨ５（ＵＥ１のＲＲＳ内のＲＲＨ）からＵＥ１への送信についての電力レベルを決定し得、その後、一定値（例えば、６ｄＢ）によって低減された各ＲＲＨの送信電力レベルに等しいＵＥ２のＲＲＳ内のＲＲＨ（ＲＲＨ５、ＲＲＨ６、およびＲＲＨ７）からの干渉をヌリングするために使用する電力レベルを決定し得る。
【００９１】
[0102]  図１１は、本開示のある特定の態様に従って行われ得る実例的な動作１１００を示す。１１０２において、動作１１００は、第１の周波数上の複数の送信ポイント（ＴＰ）によって、または第２の周波数上のリレーによって、サービス提供されることができる少なくとも１つのＵＥを識別することで開始する。１１０４において、リレーによってサービス提供されているＵＥを条件とする第１のパフォーマンスメトリックおよび複数のＴＰによってサービス提供されているＵＥを条件とする第２のパフォーマンスメトリックを評価することが行われ得る。１１０６において、第１および第２のパフォーマンスメトリックに少なくとも部分的に基づいて、ＵＥが、第１の周波数上の複数のＴＰによってサービス提供されるべきか第２の周波数上のリレーによってサービス提供されるべきかを決定することが行われ得る。１１０８において、決定に基づいて、ＵＥを、リレーまたは複数のＴＰによってサービス提供されているものに、または、リレーまたは複数のＴＰによってサービス提供されているものから切り替える措置を取ることが行われ得る。
【００９２】
[0103]  ある特定の態様によると、ＵＥをリレーまたは複数のＴＰによってサービス提供されているものに、または、リレーまたは複数のＴＰによってサービス提供されているものから切り替える措置を取ることは、複数のＴＰによって現在サービス提供されているＵＥにサービス提供するリレーをアクティブにすることを含み得る。例えば、セルは、ＵＥをＴＰのグループ（例えば、ＲＲＨ）によってサービス提供されているものから現在非アクティブであるＵＥタイプのリレーに切り替えることを決定し得、かつ、セルは、ＵＥをＵＥタイプのリレーに切り替えるコマンドを送る前にＵＥタイプのリレーをアクティブにするコマンドを送り得る。
【００９３】
[0104]  ある特定の態様によると、ＵＥをリレーまたは複数のＴＰによってサービス提供されているものに、または、リレーまたは複数のＴＰによってサービス提供されているものから切り替える措置を取ることは、現在ＵＥにサービス提供しているリレーを非アクティブにすることを含み得る。例えば、セルは、ＵＥをＵＥタイプのリレーによってサービス提供されているものからＴＰのグループ（例えば、ＲＲＨ）に切り替えることを決定し得、かつ、セルは、ＵＥをＴＰのグループに切り替えるコマンドを送った後にＵＥタイプのリレーを非アクティブにするコマンドを送り得る。
【００９４】
[0105]  ある特定の態様によると、セル内のＵＥのセットは、リレーとの関連性を考慮し得る。これら態様によると、リレーのセットのうちの１つとの関連性のために各ＵＥを順々に考慮する反復プロセスは、どのリレーをアクティブにするか、どのＵＥが各リレーと連携するかを決定するために行われ得る。例えば、セルは、４つのＵＥにサービス提供し得る。例において、セルは、リレーのセットの各々と共にＵＥのパフォーマンスを計算し得、リスト内の次のＵＥに進み、そのＵＥに対して同様の計算を行う前に、ＵＥを直接セルと関連付けるのかリレーと関連付けるのか、そして、どのリレーかを決定し得る。例において、セルがいかなる関連性も変更されるべきであると決定した場合、このコールは、あらゆるＵＥの関連性を変更するコマンドを送る前にリスト内のＵＥ全てに対して同様の計算を行い得る。
【００９５】
[0106]  ある特定の態様によると、ＵＥは、ＴＰまたはリレーのうちの少なくとも１つに関係のあるＭＰＥ後の信号対干渉雑音比（ＳＩＮＲ）の順序の増加において順序付けられ得る。これら態様によると、より低いＭＰＥ後の信号対干渉雑音比（ＳＩＮＲ）を有するＵＥは、より高いＭＰＥ後の信号対干渉雑音比（ＳＩＮＲ）を有するＵＥより前にリレーと関連付けることを考慮し得る。
【００９６】
[0107]  ある特定の態様によると、評価するための候補リレーは、ＵＥへの経路損失に基づいて識別され得る。例えば、セルは、サービス提供されたＵＥの関連性を変更すべきかどうかを考慮し得る。ＵＥをリレーに切り替えるべきかどうか、どのリレーを使用すべきかどうかを決定するために、セルは、リレーのセット内の各リレーでＵＥのパフォーマンスを評価し得る。例において、セルは、リレーからＵＥへの経路損失の順序の増加においてセル内のリレー全てを順序付け得、その後、リレーのサブセット（例えば、順序付けられたリストのうちの第１の１０個のリレー）を選択し、サブセット内の各リレーに関連付けられた場合にはＵＥのパフォーマンスを計算し得る。セルは、その後、もしあれば、パフォーマンスにおいて最大増加を提供するリレーとＵＥを関連付けるために選択し得る。
【００９７】
[0108]  ある特定の態様によると、候補リレーの予測されたバックホール品質がある特定の因子によってＵＥのそれを超える場合、リレーはアクティブにされ得、ＵＥがリレーに関連付けられる。これら態様によると、そのようなリレーが存在しない場合、ＵＥは依然としてｆ１上のクラウドＲＡＮに直接的に関連付けられたままである。例えば、セルは、リレーのバックホールリンクの予測された品質を計算し、それをクラウドＲＡＮ（すなわち、ＲＲＨのセット）に関連付けられた場合にＵＥのアクセスリンクの予測された品質と比較し、リレーのバックホールリンクの予測された品質がＵＥの予測されたアクセスリンク品質より大きい因子α（例えば、１．２５）でない場合、セルは、ＵＥを直接的にクラウドＲＡＮと関連付けることを決定し得る。
【００９８】
[0109]  ある特定の態様によると、予測されたユーティリティメトリックは、各候補リレーの関連性決定に関連付けられ得る。例えば、セルは、４つのＵＥにサービス提供し得る。例において、セルは、ＵＥとリレーのセットの各々を関連付けることに基づいて予測されたシステム全体のユーティリティメトリックを計算し得る。例において、セルは、リスト内の次のＵＥに進み、そのＵＥに対して同様の計算を行う前に、ユーティリティメトリック予測に基づいて、ＵＥを直接セルと関連付けるのかリレーと関連付けるのか、そして、どのリレーかを決定し得る。例において、セルがいかなる関連性も変更されるべきであると決定した場合、このコールは、あらゆるＵＥの関連性を変更するコマンドを送る前にリスト内のＵＥ全てに対して同様の計算を行い得る。
【００９９】
[0110]  ある特定の態様によると、アクセスリンクの制約は、予測されたシステム全体のユーティリティメトリックと各候補リレーの関連性決定を関連付けるシステム全体のスケジューリング予報において考慮され得る。これら態様によると、アクセスリンクの制約は、アクティブにするリレーと、これらリレーと関連のあるＵＥとを決定する際に明確に考慮され得る。各リレーが、システム全体のユーティリティメトリックを予測する場合、そのリレーがリレーのアクセスリンク上で広めることができる容量よりも多くの容量をリレーのバックホールリンク上で提供できない、という制約を加えることで、アクセスリンクの制約は考慮され得る。
【０１００】
[0111]  ある特定の態様によると、バックホールリンクの制約は、予測されたシステム全体のユーティリティメトリックと各候補リレーの関連性決定を関連付けるシステム全体のスケジューリング予報において考慮され得る。これら態様によると、バックホールリンクの制約は、アクティブにするリレーと、これらリレーと関連のあるＵＥとを決定する際に明確に考慮され得る。各リレーが、システム全体のユーティリティメトリックを予測する場合、各リレーの対応するバックホールリンクの容量よりも大きいレートでＵＥをスケジュールしないという制約を加えることで、バックホールリンクの制約は考慮され得る。
【０１０１】
[0112]  ある特定の態様によると、アクセスリンクの制約とバックホールリンクの制約は、両方予測されたシステム全体のユーティリティメトリックと各候補リレーの関連性決定を関連付けるシステム全体のスケジューリング予報において考慮され得る。アクセスリンクの制約とバックホールリンクの制約は、ＲＲＨに１回およびアクティブにされたリレーに対して１回、最適化問題プログラム(optimization problem)を稼働することと、その結果を使用してバックホールリンクまたはアクセスリンクが各アクティブにされたリレー上のＵＥのスケジューリングをより制限しているかどうかを決定することによって考慮され得る。特定のリレーのためにシステム全体のユーティリティメトリックを予測する場合、最適化問題プログラムの結果は、システム全体のユーティリティメトリックを予測する際にバックホールリンクの制約を使用すべきかアクセスリンクの制約を使用すべきかを決定するために使用され得る。例えば、６個のＲＲＨを有するセルは、リレー関連性決定を決定するために、予測されたシステム全体のユーティリティメトリックを使用して最適化リレーアクティベーションを行い得る。例において、セルは、サービス提供されたＵＥを考慮するために３つの候補リレーを決定し得る。例において、セルは、６個のＲＲＨ上で最適化問題プログラムを稼働し得、３つの候補リレー上で第２の最適化問題プログラムを稼働し得る。例において、セルは、最適化問題プログラムに基づいて、第１の候補リレーがそのアクセスリンクによって制約されると決定し得る一方で、第２および第３の候補リレーがそれらバックホールリンクによって制約される。例において、セルは、第１の候補リレーのアクセスリンクに従ってＵＥのスケジューリングを制限することに基づいて第１の候補リレーに対するシステム全体のユーティリティメトリックを計算し得、セルは、各候補リレーのバックホールリンクに従ってＵＥのスケジューリングを制限することに基づいて第２および第３の候補リレーに対するシステム全体のユーティリティメトリックを計算し得る。
【０１０２】
[0113]  ある特定の態様によると、評価するための候補リレーは、ＵＥへの予報された送信レートについての所定値に少なくとも部分的に基づいて識別され得る。例えば、適時的なリレーアクティベーションを行うセルは、ＵＥへの送信レートを予報し得る。例において、セルは、各リレーに対するバックホールリンクおよびアクセスリンクの制約を決定し、ＵＥへの予報された送信レートに等しいまたはそれを超えるリレーのアクセスリンクおよびバックホールリンクの制約に基づいてリレーをＵＥのための候補リレーとして識別し得る。
【０１０３】
[0114]  当業者は、情報および信号が、様々な異なる技術および技法のうちのいずれかを使用して表され得ることを理解するであろう。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【０１０４】
[0115]  当業者はさらに、本明細書の開示に関連して説明された様々な例示的な論理ブロック、モジュール、回路、およびアルゴリズムステップが、電子ハードウェア、コンピュータソフトウェア、または両方の組み合わせとして実現され得ることを理解するであろう。ハードウェアとソフトウェアとのこの互換性を明確に示すために、様々な例示的なコンポーネント、ブロック、モジュール、回路、およびステップが、それらの機能の観点から一般的に上述されている。そのような機能が、ハードウェアとして実現されるか、あるいはソフトウェアとして実現されるかは、特定のアプリケーションおよびシステム全体に課せられる設計制約に依存する。当業者は、説明された機能を特定のアプリケーションごとに様々な方法で実現し得るが、そのような実現の決定は、本開示の範囲からの逸脱を引き起こしているとして解釈されるべきではない。
【０１０５】
[0116]  本明細書の開示に関連して説明された様々な例示的な論理ブロック、モジュール、および回路は、本明細書で説明された機能を行うように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはこれらの任意の組み合わせで、実現されまたは行われ得る。汎用プロセッサは、マイクロプロセッサであり得るが、代替において、このプロセッサは、任意の従来のプロセッサ、コントローラ、マイクロコントローラ、またはステートマシン（state machine）であり得る。プロセッサはまた、例えば、ＤＳＰとマイクロプロセッサの組み合わせ、複数のマイクロプロセッサ、ＤＳＰコアと連結した１つ以上のマイクロプロセッサ、または任意の他のそのような構成のような、コンピューティングデバイスの組み合わせとして実現され得る。
【０１０６】
[0117]  本明細書の開示に関連して説明された方法またはアルゴリズムのステップは、ハードウェアで直接的に、プロセッサによって実行されるソフトウェアモジュールで、またはその２つの組み合わせで、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で周知の任意の他の形態の記憶媒体内に存在し得る。典型的な記憶媒体は、プロセッサが記憶媒体から情報を読み取り、かつ記憶媒体に情報を書き込むことができるように、プロセッサに結合される。代替において、記憶媒体はプロセッサに一体化され得る。プロセッサおよび記憶媒体はＡＳＩＣ内に存在し得る。ＡＳＩＣは、ユーザ端末内に存在し得る。代替において、プロセッサおよび記憶媒体は、ユーザ端末内の離散コンポーネントとして存在し得る。一般的に、動作が図中に示されている場合、それらの動作は、同様の参照番号を付した、対応する対照のミーンズプラスファンクションコンポーネントを有し得る。
【０１０７】
[0118]  １つ以上の典型的な設計において、説明された機能は、ハードウェア、ソフトウェア、ファームウェア、またはそれらの任意の組み合わせで実現され得る。ソフトウェアで実現された場合、その機能は、コンピュータ可読媒体上の１つ以上の命令またはコードとして記憶または送信され得る。コンピュータ可読媒体は、１つの場所から別の場所へのコンピュータプログラムの転送を容易にする任意の媒体を含むコンピュータ記憶媒体と通信媒体の両方を含む。記憶媒体は、汎用または専用コンピュータによってアクセスされることができる任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または記憶するために使用されることができ、かつ、汎用または専用コンピュータ、または汎用または専用プロセッサによってアクセスされることができる、任意の他の媒体を備えることができる。また、任意の接続は、厳密にはコンピュータ可読媒体と呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびブルーレイ（登録商標）ディスクを含み、ここでディスク（disk）は、通常磁気的にデータを再生し、一方ディスク（disc）は、レーザーを用いて光学的にデータを再生する。上記の組み合わせはまた、コンピュータ可読媒体の範囲内に含まれるべきである。
【０１０８】
[0119]  本開示の先の説明は、本開示を製造または使用することをいずれの当業者にも可能にさせるために提供される。本開示に対する様々な変更は、当業者に容易に理解され、本明細書において定義された一般的な原理は、本開示の精神または範囲から逸脱せずに、他の変形例に適用され得る。従って、本開示は、本明細書で説明された例および設計に限定されるように意図されたものではなく、本明細書で開示された原理および新規な特徴と一致する最も広い範囲が付与されるべきである。
【図１】
2016524424.tif 000006
【図２】
2016524424.tif 000007
【図２Ａ】
2016524424.tif 000008
【図３】
2016524424.tif 000009
【図４】
2016524424.tif 000010
【図５】
2016524424.tif 000011
【図６】
2016524424.tif 000012
【図７】
2016524424.tif 000013
【図８】
2016524424.tif 000014
【図９】
2016524424.tif 000015
【図１０】
2016524424.tif 000016
【図１１】
2016524424.tif 000017
【国際調査報告】
2016524424.tif 000018
2016524424.tif 000019
2016524424.tif 000020